(57)【要約】【課題】  野球、ゴルフ、テニス、バドミントンなどの素振り練習において、インパクト時に素振り練習器具の内部にある金属にかかる負荷を軽減し、金属疲労を抑制する構造にする。【選択図】図４
2020131048.tif 000002
【特許請求の範囲】
【請求項１】
管状のシャフトと、前記管状のシャフトの軸方向先端側に取り付けられる先端部材と、前記管状のシャフトの軸方向基端側に取り付けられる把持部と、を有し、前記把持部を握り野球、ゴルフ、テニス、バトミントンなどの素振り練習をした際に、前記先端部材が前記管状のシャフト上を遠心力の働く方向へ移動し、前記先端部材の内部に形成する静止部に前記管状のシャフトに形成する鍔（つば）が衝突してインパクトの位置でインパクト音を発生させることができる素振り練習器具において、前記管状のシャフトの前記軸方向先端側よりさらに先端側の位置に前記管状のシャフトの最終端を開放させた最終先端部を形成することを特徴とする素振り練習器具における金属疲労を抑制する構造。
【請求項２】
前記最終先端部から軸方向任意の位置に前記シャフトの円周に沿って前記鍔を接合させることを特徴とする素振り練習器具における金属疲労を抑制する構造。
【請求項３】
前記管状のシャフトの前記最終先端部の径は、前記鍔を接合させた前記管状のシャフトの位置の径より大径であることを特徴とする請求項１に記載の素振り練習器具における金属疲労を抑制する構造。
【発明の詳細な説明】
【技術分野】
【０００１】  本発明は、野球、ゴルフ、テニス、バドミントンなどで使用する素振り練習器具の内部構造に関するものである。
【背景技術】
【０００２】  従来、インパクトで音がする素振り練習器で素振り練習をしていた（例えば特許文献１並びに特許文献２）。
【先行技術文献】
【特許文献】
【０００３】
【特許文献１】特開平８−２４３８６号公報
【特許文献２】特開平２０１３−１８４０４１号公報
【発明の概要】
【発明が解決しようとする課題】
【０００４】  前記特許文献１に記載の器具は、素振りをした際にインパクトで音が鳴り、振動、衝撃など実際に打撃した時のような感触を味わうことができた。また、特許文献２に記載の器具は、インパクトで音が鳴り、スイングの際の体の捻じり戻しを強化するものだった。
特許文献１に関しては、インパクト時に被打撃部材の内部にあるフリンジに負荷をかけていた。また、特許文献２に関しても同様に、インパクト時に先端部材の内部にある座金に負荷をかけていた。【０００５】  本発明は、前述した特許文献の器具を改良し、野球、ゴルフ、テニス、バドミントンなどの素振り練習において、インパクト時に素振り練習器具の内部にある金属にかかる負荷を軽減し、金属疲労を抑制する構造にすることで、より安全な素振り練習器具を提供することを目的とする。
【課題を解決するための手段】
【０００６】  請求項１に記載の本発明の素振り練習器具における金属疲労を抑制する構造は、管状のシャフトと、管状のシャフトの軸方向先端側に取り付けられる先端部材と、管状のシャフトの軸方向基端側に取り付けられる把持部と、を有し、把持部を握り野球、ゴルフ、テニス、バトミントンなどの素振り練習をした際に、先端部材が管状のシャフト上を遠心力の働く方向へ移動し、先端部材の内部に形成する制止部に管状のシャフトに形成する鍔が衝突してインパクトの位置でインパクト音を発生させることができる素振り練習器具において、管状のシャフトの軸方向先端側よりさらに先端側の位置に管状のシャフトの最終端を開放させた最終先端部を形成することを特徴とする。【０００７】  請求項２に記載の本発明の素振り練習器具における金属疲労を抑制する構造は、最終先端部から軸方向任意の位置にシャフトの円周に沿って鍔を接合させることを特徴とする。【０００８】  請求項３に記載の本発明の素振り練習器具における金属疲労を抑制する構造は、管状のシャフトの最終先端部の径は、鍔を接合させた管状のシャフトの位置の径より大径であることを特徴とする。
【発明の効果】
【０００９】  請求項１に記載の本発明の素振り練習器具における金属疲労を抑制する構造は、管状のシャフトの最終先端部を開放することでインパクト時に鍔の下端に衝撃を受けても振動がこもらずに、最終先端部の開放部分から抜けることができ、金属疲労を抑制することができるという優れた効果を発揮する。【００１０】  請求項２に記載の本発明の素振り練習器具における金属疲労を抑制する構造は、シャフトの最終先端部から任意の位置にシャフトの円周に沿って鍔を接合させることで、インパクト時に鍔の下端に衝撃を受けた際に、鍔がたわみを起こし振動を吸収することができ、金属疲労を抑制することができるという優れた効果を発揮する。【００１１】  請求項３に記載の本発明の素振り練習器具における金属疲労を抑制する構造は、シャフトの最終先端部の径を、鍔を接合させた位置の径より大径にすることで、シャフトの先端側の形状が管楽器のラッパ様になる。ラッパ様になることで、鍔から振動が伝播した際にラッパ様の先端部から振動が開放され、金属疲労を抑制することができるという優れた効果を発揮する。【００１２】  また、先端側がラッパ様になることで、鍔の下端に衝撃を受けた場合にラッパ様の部位が内側に縮もうと運動を起こす。また内側に縮んだ後は外側に戻ろうとする反動が起き、内外に伸び縮み運動を起こす。これにより、ラッパ様の部位がスプリングの役割を果たし、さらに振動を吸収する働きを助け金属疲労を抑制するという優れた効果を発揮する。
【図面の簡単な説明】
【０００１３】
【図１】  本発明の素振り練習器具における金属疲労を抑制する構造を有する素振り練習器具の側面図である。
【図２】  本発明の素振り練習器具における金属疲労を抑制する構造を有する素振り練習器具が伸長した図である。
【図３】  本発明の素振り練習器具における金属疲労を抑制する構造の先端部材の内部構造である。
【図４】  本発明の素振り練習器具における金属疲労を抑制する構造の先端部材の内部構造を拡大表現したものである。
【図５】  本発明の素振り練習器具における金属疲労を抑制する構造の先端部材の断面図を拡大表現したものである。
【図６】  本発明の素振り練習器具における金属疲労を抑制する構造のシャフト先端側の図である。
【図７】  本発明の素振り練習器具における金属疲労を抑制する構造のシャフト先端側の図である。
【図８】  本発明の素振り練習器具における金属疲労を抑制する構造のシャフトの最終先端部の開放部分と振動の動きを示した図である。
【発明を実施するための最良の形態】
【００１４】  以下、本発明を図面に示す実施形態図１〜８に基づき説明をする。ただし、以下の実施するための形態は、本発明の素振り練習器具における金属疲労を抑制する構造の一例として説明するものであり、この説明の図の項に限定されるものではない。【００１５】  図１は、本発明の素振り練習器具における金属疲労を抑制する構造を有する素振り練習器具の側面図である。素振り練習器具１、先端部材２、把持部３から構成される。【００１６】  図２は、本発明の素振り練習器具における金属疲労を抑制する構造を有する素振り練習器具が伸長した状態の側面図である。素振り練習器具１、先端部材２、把持部３、シャフト４から構成される。【００１７】  図３は、本発明の素振り練習器具における金属疲労を抑制する構造の先端部材２の内部構造である。先端部材２、シャフト４、接合部５、鍔（つば）６、最終先端部７から構成される。図１に示すように素振り練習器具１が短い状態の先端部材２の内部構造であり、シャフト４の最終先端部７が先端部材２の先端側に位置している。【００１８】  図４は、本発明の素振り練習器具における金属疲労を抑制する構造の先端部材２の内部構造を拡大表現したものである。先端部材２、シャフト４、接合部５、鍔６、最終先端部７、鍔６を押し止める制止部８から構成される。図２に示すように素振り練習器具１が伸長している状態の先端部材２の内部構造であり、シャフト４に接合された鍔６が制止部８に接触して、止まっている状態である。この状態が本発明の素振り練習器具のインパクトの位置であり、鍔６と制止部８が接触することによりインパクト音が発生し、振動が起こる位置である。【００１９】  図５は、本発明の素振り練習器具における金属疲労を抑制する構造の先端部材２の内部構造の断面図を拡大表現したものである。先端部材２、シャフト４、接合部５、鍔（つば）６、最終先端部７、制止部８から構成される。接合部５は、シャフト４と鍔６を溶接等任意の方法で最終先端部７側から接合し、接合部５の突起が最終先端部７側にあるようにする。鍔６の一方が平らに形成され、制止部８に衝突する構造とする。【００２０】  また、図５の最終先端部７の径は、接合部５のシャフト４の径より大径であることが肝要である。さらに、最終先端部７の径は、シャフト４が移動可能な先端部材２の円筒部９の径よりも大径であることが更に肝要である。この構造により、例えば、振動衝撃により鍔６が破損したとしても、最終先端部７の径が、円筒部９の径より大きいことで、先端部２がシャフト４から外れることがなくなる。【００２１】  図６は、本発明の素振り練習器具における金属疲労を抑制する構造のシャフト４の先端側の図である。シャフト４、接合部５、鍔６、最終先端部７、図５に示すように鍔６が制止部８に衝突した際に起こる荷重ａ、衝撃によって起こる振動ｂから構成される。
本発明は、荷重ａが振動ｂを起こした際に、ラッパ様に広がった最終先端部７側に振動ｂが広がるように逃げていく構造にすることが肝要である。これにより金属の接合部５と鍔６にかかる負荷が軽減され金属疲労を抑制することができる。【００２２】  図７は、本発明の素振り練習器具における金属疲労を抑制する構造のシャフト４の先端側の図である。シャフト４、接合部５、鍔６、最終先端部７、ひずみ部１０、シャフト４の先端側が伸び縮みする方向ｃから構成される。図６の荷重ａにより鍔６が押されひずみ部１０にエネルギーがたまり、その荷重ａを押し返そうとひずみ部１０が運動を起こすようになる。また、ひずみ部１０の運動に呼応して、最終先端側も内外に伸び縮み運動を起こし弾性効果を発揮するようになる。これにより、振動を軽減することが可能となり、金属疲労を抑制することができる。【００２３】  図８は、本発明の素振り練習器具における金属疲労を抑制する構造の最終先端部７の正面図である。シャフト４、接合部５、鍔６、開放部１２、鍔６に伝わる振動の流れｄから構成される。シャフト４の最終先端部７は、開放部１２を有することで、素振り練習の際に発生する衝撃による振動を開放部１２から外に解放することができ、振動を軽減することが可能となる。よって、金属疲労を抑制することができるというものである。
【産業上の利用可能性】
【００２４】  野球、ゴルフ、テニス、バドミントンの素振り練習をする際に、より安全性の高い素振り練習器具を提供し、打撃を伴う各スポーツの技術の向上を促す。
【符号の説明】
【００２５】    １  素振り練習器具
２  先端部材
３  把持部
４  シャフト
５  接合部
６  鍔（つば）
７  最終先端部
８  制止部
９  円筒部
１０  衝撃を受ける鍔の底部
１１  ひずみ部
１２  開放部
ａ  荷重の方向
ｂ  振動の伝わる方向
ｃ  伸縮する方向
ｄ  振動の流れ
【図１】
2020131048.tif 000003
【図２】
2020131048.tif 000004
【図３】
2020131048.tif 000005
【図４】
2020131048.tif 000006
【図５】
2020131048.tif 000007
【図６】
2020131048.tif 000008
【図７】
2020131048.tif 000009
【図８】
2020131048.tif 000010